(57)【特許請求の範囲】
【請求項１】
第１の基地局と第２の基地局が同期しているネットワークにおける、無線通信装置のハンドオーバのための方法であって、
前記第１の基地局からハンドオーバコマンド・メッセージを受信するステップと；
前記第１の基地局から前記第２の基地局に対する制御信号の送信のためのトリガ信号を前記第１の基地局に対して送信するステップと、
前記第２の基地局と通信するためのアップリンク・スケジューリング情報を受信するステップと；
前記第２の基地局に対し、ハンドオーバ確認メッセージを送信するステップと；
前記第２の基地局でサポートされるセルにおいて前記第２の基地局にアップリンク・データを送信するステップと；
を有する方法。
【請求項２】
上記制御信号は、前記第１の基地局と前記無線通信装置との間のハンドオーバープロトコルの処理状況に関する情報を通知する、請求項１に記載の方法。
【請求項３】
上記制御信号は、前記第１の基地局が、前記第２の基地局に対し、前記無線通信装置から受信したデータを転送することを示す、請求項１に記載の方法。
【請求項４】
前記ハンドオーバコマンド・メッセージは、前記無線通信装置が前記第２の基地局でサポートされるセルにおいて使用するための識別子（Ｃ−ＲＮＴＩ）、を含む請求項１記載の方法。
【請求項５】
セル・アクセスの前に、前記第２の基地局でサポートされるセルにアップリンク同期を得るステップ、を更に含む請求項１または請求項４記載の方法。
【請求項６】
ハンドオーバ確認メッセージを送信するステップは、チャネル品質情報（ＣＱＩ）を前記第２の基地局に並行して送信するステップ、を更に含む請求項１〜５のいずれか１項記載の方法。
【請求項７】
ハンドオーバ確認メッセージを送信するステップは、スケジューリング要求を前記第２の基地局に並行して送信するステップ、を更に含む請求項１〜６のいずれか１項記載の方法。
【請求項８】
当該方法は、共用チャネルオペレーションに基づいたワイヤレス・ネットワークにおいて使用される、請求項１〜７のいずれか１項記載の方法。
【請求項９】
当該方法は、３ｒｄ  Ｇｅｎｅｒａｔｉｏｎ  Ｐａｒｔｎｅｒｓｈｉｐ  Ｐｒｏｊｅｃｔ（３ＧＰＰ）セルラー通信システムにおいて使用される、請求項１〜８のいずれか１項記載の方法。
【請求項１０】
前記トリガ信号を送信した後、前記第２の基地局へアクセスする前に、前記アップリンク・スケジューリング情報を受信する、請求項１に記載の方法。
【請求項１１】
第１の基地局と第２の基地局が同期しているネットワークにおける、第１の基地局から第２の基地局へのハンドオーバが可能な無線通信装置であって、以下の処理をするプロセッサを有する、
前記第１の基地局からハンドオーバコマンド・メッセージを受信し；
前記第１の基地局から前記第２の基地局に対する制御信号の送信のためのトリガ信号を前記第１の基地局に対して送信し；
前記第２の基地局と通信するためのアップリンク・スケジューリング情報を受信し；
前記第２の基地局に対し、ハンドオーバ確認メッセージを送信し；
前記第２の基地局でサポートされるセルの前記第２の基地局にアップリンク・データを送信する；
無線通信装置。
【請求項１２】
第１の基地局と第２の基地局が同期しているネットワークにおける、第１の基地局から第２の基地局へのハンドオーバが可能な無線通信装置であって：
無線通信を行うアンテナと、
以下の処理をするプロセッサを有する、
前記第１の基地局からハンドオーバコマンド・メッセージを受信し、
前記第１の基地局から前記第２の基地局に対する制御信号の送信のためのトリガ信号を前記第１の基地局に送信し、
前記第２の基地局と通信するためのアップリンク・スケジューリング情報を受信し；
前記第２の基地局に対し、ハンドオーバ確認メッセージを送信し；
前記第２の基地局でサポートされるセルの前記第２の基地局にアップリンク・データを送信する；
無線通信装置。
【請求項１３】
上記制御信号は、前記第１の基地局と前記無線通信装置との間のハンドオーバープロトコルの処理状況に関する情報を通知する、請求項１２に記載の無線通信装置。
【請求項１４】
上記制御信号は、前記第１の基地局が、前記第２の基地局に対し、前記無線通信装置から受信したデータを転送することを示す、請求項１２に記載の無線通信装置。
【請求項１５】
第１の基地局と第２の基地局が同期しているネットワークにおける、第１の基地局から第２の基地局へのハンドオーバのためのロジックであって、前記ロジックは実行可能なプログラムコードを有し、前記プログラムコードは：
前記第１の基地局からハンドオーバコマンド・メッセージを受信する手順と；
前記第１の基地局から前記第２の基地局に対する制御信号の送信のためのトリガ信号を前記第１の基地局に送信するための手順と；
前記第２の基地局と通信するためのアップリンク・スケジューリング情報を受信するための手順と；
前記第２の基地局に対し、ハンドオーバ確認メッセージを送信するための手順と；
前記第２の基地局でサポートされるセルにおいて前記第２の基地局にアップリンク・データを送信する手順と；
を実行可能なロジック。
【請求項１６】
無線通信装置のハンドオーバーが可能な第１の基地局と第２の基地局を有しているセルラー通信システムであって、前記無線通信装置は：
前記第１の基地局からハンドオーバコマンド・メッセージを受信するためのロジックと；
前記第１の基地局から前記第２の基地局に対する制御信号の送信のためのトリガ信号を前記第１の基地局に送信するためのロジックと；
前記第２の基地局と通信するためのアップリンク・スケジューリング情報を受信するためのロジックと；
前記第２の基地局に対し、ハンドオーバ確認メッセージを送信するためのロジックと；
前記第２の基地局でサポートされるセルの前記第２の基地局にアップリンク・データを送信するためのロジックと；
を有するセルラー通信システム。
【発明の詳細な説明】
【技術分野】
【０００１】
本発明は、セルラー通信システムの通信リソースの利用に関する。更に詳細には、セルラー通信システムの同期したハンドオーバに関する。なお、これに限られるものではない。
【背景技術】
【０００２】
現在では、第三世代のセルラー通信システムが、携帯電話ユーザに提供される通信サービスを更に向上させるために利用されている。最も広く採用されている第三世代の通信システムは、符号分割多重アクセス方式（ＣＤＭＡ）および周波数分割複信（ＦＤＤ）または時分割複信（ＴＤＤ）技術に基づいている。ＣＤＭＡシステムにおいて、ユーザ分離は、異なる拡散および／またはスクランブリング・コードを同じキャリア周波数で、かつ同じ時間間隔で、異なるユーザに割り当てることによって達成される。これは、時分割多重アクセス（ＴＤＭＡ）と対照的なシステムである。この場合には、ユーザ分離は、異なるタイムスロットを異なるユーザに割り当てることによって達成される。加えて、ＴＤＤは、アップリンクおよびダウンリンクの両方の送信に同じキャリア周波数を提供する。すなわち、アップリンクとは、移動無線通信ユニット（しばしばワイヤレス加入者通信ユニットと称する）から基地局の役割をする通信インフラストラクチャへの無線を介した送信のことであり、ダウンリンクとは、基地局を介して、通信インフラストラクチャから移動無線通信ユニットへの送信のことである。ＴＤＤでは、キャリア周波数は、時間領域において、一連のタイムスロットに再分割される。一つのキャリア周波数が、あるタイムスロットの間、アップリンク送信にアサインされ、そして他のタイムスロットの間、ダウンリンク送信にアサインされる。この原理を使用した通信システムの実例は、Ｕｎｉｖｅｒｓａｌ  ＭｏＢｉｌｅ  Ｔｅｌｅｃｏｍｍｕｎｉｃａｔｉｏｎ  Ｓｙｓｔｅｍ（ＵＭＴＳ）である。ＣＤＭＡ、および特にＷｉｄｅ−Ｂａｎｄ  ＣＤＭＡ（ＷＣＤＭＡ）のＵＭＴＳモードの詳細は、非特許文献１に開示されている。
【０００３】
図１をここで参照する。非特許文献２において合意された非同期ネットワークのＩｎｔｒａ−ＬＴＥハンドオーバ手順のメッセージ・シーケンスチャート１００が例示されている。ＲＡＮ２＃５８で合意されたアプローチは、ユーザ機器（ＵＥ：ｕｓｅｒ  ｅｑｕｉｐｍｅｎｔ）１１０と、ソースｅＮｏｄｅ−Ｂ１１５と、ターゲットｅＮｏｄｅ−Ｂ１２０との間の通信を記述している。このアプローチは、専用のリソースを有する無コンテンション（ｃｏｎｔｅｎｔｉｏｎ−ｆｒｅｅ）手順を使用しているターゲットセルへのＵＥアクセスを容易にする。合意された手順によれば、ＵＥは、信号品質測定を実行し、メッセージ１３０において、これらの測定値をソースｅＮｏｄｅ−Ｂ１１５に送信する。ソースｅＮｏｄｅ−Ｂ１１５は、その後ハンドオーバ（ＨＯ）プロセス１３５を始めて、ＨＯ要求メッセージ１４０を（ＵＥ無線アクセスネットワーク（ＲＡＮ：ｒａｄｉｏ  ａｃｃｅｓｓ  ｎｅｔｗｏｒｋ）を通じて）ターゲットｅＮｏｄｅ−Ｂ１２０に送信する。
【０００４】
ターゲットｅＮｏｄｅ−Ｂ１２０は、許可コントロール１４５を実行し、かつ許可制御プロセス１４５の間、専用のプレアンブルをターゲットセルのＲＡＣＨアクセスに割り当てる。割り当てられた専用のプレアンブル・メッセージは、ターゲットｅＮｏｄｅ−Ｂ１２０から、ソースｅＮｏｄｅ−Ｂ１１５に、Ｃ−ＲＮＴＩ（Ｃｅｌｌ  Ｓｐｅｃｉｆｉｃ  Ｒａｄｉｏ  Ｎｅｔｗｏｒｋ  Ｔｅｍｐｏｒａｒｙ  Ｉｄｅｎｔｉｆｉｅｒ）を使用して、ハンドオーバ（ＨＯ）要求肯定応答（ＡＣＫ）メッセージ１５０によって送られる。その後、ＵＥ１１０にハンドオーバ（ＨＯ）コマンドメッセージ１５５が送られる。
【０００５】
ＵＥ１１０は、その後肯定応答１６０をソースｅＮｏｄｅ−Ｂ１１５に送信する。そして、ｅＮｏｄｅ−Ｂ１１５は、アップリンク（ＵＬ）およびダウンリンク（ＤＬ）の両方の方向の転送のためのデータを準備する１６５。この用意されたデータは、ソースｅＮｏｄｅ−Ｂ１１５からターゲットｅＮｏｄｅ−Ｂ１２０に送信される１７０。ＵＥ１００は、その後、割り当てられた専用のプレアンブル１７５を使用して、ターゲットＥＮｏｄｅ−Ｂ１２０にＲＡＣＨアクセスを実行することが可能である。ｅＮｏｄｅ−Ｂ１２０は、タイミングアドバンス（ＴＡ）およびＵＬグラント詳細（ｇｒａｎｔ  ｄｅｔａｉｌ）１８０を示すＲＡＣＨレスポンスを返す。ＵＥはその後ＨＯ確認メッセージ１８５をターゲットｅＮｏｄｅ−Ｂ１２０に送信する。そして、ｅＮｏｄｅ−Ｂ１２０は更にＡＣＫメッセージ１９０を返す。したがって、ＵＥは、アクセスの前に新規なセルに同期しないため、これは非同期ハンドオーバである。
【０００６】
プレアンブル・スペースは、２つの部分に分けられている。すなわち専用のプレアンブル、およびランダムなプレアンブルである。標準のＲＡＣＨアクセスのために、ＵＥ１１０は、ランダムなプレアンブル部からランダムにプレアンブルを選び、そして非同期ＲＡＣＨチャネル１７５上において、選択されたプレアンブルを送信する。ランダムなプレアンブルの部分内のプレアンブルだけが、セル内でブロードキャストされる必要がある。専用のプレアンブルは、ネットワーク（ｅＮｏｄｅ−Ｂ）によって、ＵＥ１１０に常に割り当てられる。
【０００７】
さて、図２を参照する。メッセージ・シーケンスチャート２００は、ＵＥ２１０のアクセスのために利用できるプレアンブルがないケースを例示する。または、ターゲットセルの中で、ターゲットｅＮｏｄｅ−Ｂ２２０がＲＡＣＨアクセスのための専用のプレアンブルを割り当てない。この場合に、ＵＥ２１０はコンテンションベースの非同期ＲＡＣＨアクセスを介してターゲットｅＮｏｄｅ−Ｂ２２０にアクセスする。そして、これに応答して、ターゲットｅＮｏｄｅ−Ｂ２２０は、ＨＯ要求ＡＣＫメッセージ２５０をソースｅＮｏｄｅ−Ｂ２１５に送信し、ｅＮｏｄｅ−Ｂ２１５は、次にＨＯコマンド２５５をＵＥ２１０に送信する。これには、専用のプレアンブルを伴わない。
【０００８】
この手順で使用されるコンテンションの態様に関して、例えば、二つ以上のＵＥが同じプレアンブルを選ぶ場合、ＵＥは同じＲＡＣＨレスポンス１８０をリスニングしている。しかしながら、ターゲットｅＮｏｄｅ−Ｂ２２０は、最も強い信号しか検出できない。それ故、ＴＡは、最も強い信号を有するＵＥに対して算出される。この場合、全てのコンテンション状態のＵＥは、ＴＡを受信し、かつそれが自分自身のＴＡであると仮定する。タイミングアラインメントを実行した後に、コンテンション状態のＵＥは、その後スケジュールされたリソースにおける一意の名前を送信する。二つ以上のＵＥが同じＵＬリソースに送信しており、通常は、これにより更なる衝突が生じる点に留意する必要がある。
【０００９】
しかしながら、ＵＥによって送られる信号１７５をｅＮｏｄｅ−Ｂが正しく受信し、かつ復号化する場合には、ｅＮｏｄｅ−Ｂはメッセージ１８０によってＵＥの固有ＩＤを送る。全てのコンテンション状態のＵＥは、メッセージ１８０中の送信されたメッセージをリスニングする。固有のＩＤが、ＵＥのそれぞれの識別子（ＩＤ）にマッチした場合、そのＵＥによる、セルへのアクセスは成功したことになる。この場合、他の失敗したＵＥは、メッセージ２７５からの手順を繰り返し、他のランダムに選択されたプレアンブルを送信することによってＲＡＣＨアクセスを再開する。スケジュールされた送信メッセージ２８０が、リソース衝突によって、ターゲットｅＮｏｄｅ−Ｂ２２０によって正しく受信されない場合、ステップ２８５のコンテンションのメッセージは可能でない（送ることができない）。この場合、ＵＥは、タイマーの終了後、ＲＡＣＨ手順を再開する。
【００１０】
また、専用のプレアンブル（無コンテンション）ベースのアクセスが失敗した場合、ＵＥ２１０は、非同期ＲＡＣＨチャネル２７５で、ランダムに選択されたプレアンブルを使用してターゲットセルにアクセスする。この場合、ＵＥ２１０はスケジュールされた送信２８０をターゲットｅＮｏｄｅ−Ｂ２２０に送信する。ｅＮｏｄｅ−Ｂ２２０は、最終的な確認およびＡＣＫ送信１８５、１９０の前に、コンテンションの解消ステップ２８５によって応答する。
【００１１】
したがって、合意された非同期ＨＯ手順は、ＵＥ１１０、２１０が非同期ＲＡＣＨチャネルの新規なセルにアクセスすることを必要とする。ＨＯ負荷は、かなりの全体的なＲＡＣＨ負荷をもたらす。非特許文献３において、サムスン（登録商標）によって提供されたＲ２−０７０２５のＲＡＣＨ負荷分析によれば、ＲＡＣＨ負荷の５０−７０％は、ハンドオーバの後のセル・アクセスによって生じる。
【００１２】
この種のハンドオーバ手順のＲＡＣＨ負荷の減少は、無線の効率の観点から常に有益であることが知られている。
【先行技術文献】
【非特許文献】
【００１３】
【非特許文献１】“ＷＣＤＭＡ  ｆｏｒ  ＵＭＴＳ”，  Ｈａｒｒｉ  Ｈｏｌｍａ  （ｅｄｉｔｏｒ），  Ａｎｔｔｉ  Ｔｏｓｋａｌａ  （Ｅｄｉｔｏｒ），  Ｗｉｌｅｙ  ＆  Ｓｏｎｓ，  ２００１，  ＩＳＢＮ  ０４７１４８６８７６
【非特許文献２】Ｒ２−０７２８４７，‘Ｄｒａｆｔ１  ｍｉｎｕｔｅｓ’  ｏｆ  ｔｈe  ５８ｔｈ  ＴＳＧ−ＲＡＮ  ＷＧ２  ｍｅｅｔｉｎｇ，  ＫｏＢｅ，  Ｊａｐａｎ，  ０７−１１  Ｍａｙ  ２００７
【非特許文献３】Ｒ２−０７０２５‘ＬＴＥ  ｃｅｌｌ  ｌｏａｄ／ＲＡＣＨ  ｌｏａｄ  ｅｓｔｉｍａｔｉｏｎｓ’，  Ｓａｍｓｕｎｇ，  ＲＡＮ２＃５６Ｂｉｓ，  Ｓｏｒｒｅｎｔｏ，  Ｉｔａｌｙ，  １５−１９  Ｊａｎｕａｒｙ  ２００７，
【非特許文献４】Ｒ２−０７０２１４‘Ｃｏｎｔｅｎｔｉｏｎ  ａｎｄ  ｃｏｎｔｅｎｔｉｏｎ−ｆｒｅｅ  ｉｎｔｒａ−ＬＴＥ  ｈａｎｄｏｖｅｒｓ’
【非特許文献５】ＴＳ  ３６．２１１（３ＧＰＰ  ＴＳ  ３６．２１１  ｖ．１．１．１（２００７−０５），  “３ＧＰＰ  Ｔｅｃｈｎｉｃａｌ  ｓｐｅｃｉｆｉｃａｔｉｏｎ  ｇｒｏｕｐ  ｒａｄｉｏ  ａｃｃｅｓｓ  ｎｅｔｗｏｒｋ，  ｐｈｙｓｉｃａｌ  ｃｈａｎｎｅｌｓ  ａｎｄ  ｍｏｄｕｌａｔｉｏｎ  （ｒｅｌｅａｓｅ  ８）
【発明の概要】
【発明が解決しようとする課題】
【００１４】
上述した周知の先行技術は、非同期ネットワークのハンドオーバを取扱い、ＤＬタイミングは、同期していない。これに対して、同期ネットワークでは、ダウンリンク（ＤＬ）送信は同期する（すなわち、ＤＬフレーム・タイミングは、異なるｅＮｏｄｅ−Ｂで同時に発生する）。なお、タイミングアドバンス（ＴＡ）は、ＵＥによってＵＬ送信のために調整することが必要なタイミングアラインメントである。
【００１５】
同期されたハンドオーバにおいて、ＵＥは、新規なセルにおけるセル・アクセスの前に新規なセルにＵＬ同期を得ることが可能である。同期ネットワークにおいて、ＵＥは、ソースセルのＴＡ、およびソースとターゲットセルとから受けた信号間の時間差に基づいてタイミングアドバンスを算出することが可能である。非同期ネットワークにおいて、ソースとターゲットセルとの間の時間差がＵＥに与えられた場合、ＵＥはＴＡを算出することが可能である。
【００１６】
要約すると、同時に送信された場合、ＵＥの特定の位置、およびＵＥの速度に基づいて、ＵＥによって送信される（ＵＬ送信）波形は異なる時刻にｅＮｏｄｅ−Ｂに受信される。これを修正するために、（すなわち、ＵＬ送信が同じタイムスロットでｅＮｏｄｅ−Ｂによって受信されることを確実にするために）ｅＮｏｄｅ−Ｂは各々のＵＥが異なる時間に送信するよう命じる。これをタイミングアドバンス（Ｔｉｍｉｎｇ  Ａｄｖａｎｃｅ）と言う。したがって、ＵＬタイムアラインメントは、同期および非同期ネットワークの両者におけるＵＥに対して必要である。
【００１７】
正常動作において、ワイヤレス・ネットワークで、ＴＡは、ＵＥから送信された信号に基づいてｅＮｏｄｅ−Ｂによって算出される。算出されたＴＡは、その後ＵＥに送信される。したがって、その結果、ＵＥはＵＬ送信タイミングを調整することが可能である。
【００１８】
同期ネットワークにおいて、ターゲットｅＮｏｄｅ−Ｂの介在なしで、ターゲットネットワークのＴＡは、（ハンドオーバ（ＨＯ）オペレーションの間）ＵＥによって算出される。この算出は、ソースｅＮｏｄｅ−ＢとターゲットｅＮｏｄｅ−Ｂとから受信された信号の時間差、およびソースセルに使用されている現在のＴＡ（ＵＥに既知）に基づいてなされる。
【００１９】
非同期ネットワークにおいて、ＵＥに対して、ソースセルとターゲットセルとの間のＤＬフレーム時間差が提供される場合のみ、この算出が可能である。したがって、同期ネットワークのハンドオーバ手順を明らかにするために、ＵＥは、新規なセルと古いセルとからの受信信号の相対的時間差に基づいて新規なターゲットｅＮｏｄｅ−Ｂに対するタイミングアドバンスを算出することが可能である。これは、周知のＴＤＤ−ＵＭＴＳネットワークで使用されるメカニズムである。したがって、同期ネットワークで、アクセスの前に、新規なセルに対して同期を得ることが可能である。すなわち、非同期チャネルを介して新規なセルにアクセスすることを回避できる。セル・アクセスの前に、ＵＥが新規なセルへのＵＬ同期情報を得るハンドオーバは、「同期ハンドオーバ」と呼ばれる。
【００２０】
ここで図３を参照する。メッセージ・シーケンスチャート３００は、同期ハンドオーバ手順のケースを示している。
【００２１】
ＭＢＭＳ単一周波数ネットワーク（ＭＢＦＮ：ＭＢＭＳ  Ｓｉｎｇｌ  Ｆｒｅｑｕｅｎｃｙ  Ｎｅｔｗｏｒｋ）オペレーションにおいては、（ネットワークが時間分割二重（ＴＤＤ）または周波数分割二重（ＦＤＤ）であるか否かに関係なく）セルは、同期ＤＬフレームである。
【００２２】
同期ネットワークにおいて、ターゲットセルにおけるタイミングアドバンスは簡単にＵＥ３１０によって算出することができる。この算出は、ソースｅＮｏｄｅ−Ｂ３１５のためのＴＡ、およびターゲットｅＮｏｄｅ−Ｂ３２０とソースｅＮｏｄｅ−Ｂ３１５とからの受信信号の間での相対的時間差に基づいて行われる。ＴＤＤ−ＵＭＴＳシステムで使用されているこれに類似したアルゴリズムは、また、３ＧＰＰ  ＬＴＥ標準に対して設計することができる。ＵＥ３１０は、アクセスする前に、ターゲットセルに対するＵＬ時間同期を得ることができ、非同期ＲＡＣＨアクセスを回避し、これによってターゲットセルのＲＡＣＨ負荷を軽減させる。
【００２３】
非同期ネットワークにおいて、ソースセルとターゲットセルとのＤＬフレームの差がＵＥによって既知の場合にだけ、ターゲットセルにおけるタイミングアドバンスはＵＥ３１０によって算出することができる。
【００２４】
ターゲットセルにおけるＲＡＣＨアクセスを回避する１つの可能な方策としては、ターゲットｅＮｏｄｅ−Ｂ３２０が、ＨＯ要求ＡＣＫメッセージ３５０および次のＨＯコマンド３５５においてソースｅＮｏｄｅ−Ｂ３１５を介する割り当て信号によって、ＵＬ信号チャネル（ＳＣＨ：ｓｉｇｎａｌｉｎｇ  ｃｈａｎｎｅｌ）リソースを割り当てることが挙げられる。
【００２５】
ワイヤレス・ネットワークのこの種のＵＥに基づくＴＡ算出方式に関するシグナリング・フローが、図３のメッセージ・シーケンスチャート３００に示されている。したがって、ソースｅＮｏｄｅ−Ｂ３１５からＨＯ要求１４０を受け取った後に、ターゲットｅＮｏｄｅ−Ｂ３２０は、Ｃ−ＲＮＴＩを割り当て、かつＨＯ要求ＡＣＫＵＬ−ＳＣＨメッセージ３５０によってリソースをソースｅＮｏｄｅ−Ｂ３１５に割り当てる。ハンドオーバコマンド３５５を受信した後に、ＵＥ３１０は、既存のセルから分離して、かつ新規な（ターゲット）セルに同期する。その後、ハンドオーバ確認メッセージ１８５が、割り当てられたＵＬ−ＳＣＨリソース上で送信される。
【００２６】
この手順は、単純である。しかしながら、このようなＵＬ−ＳＣＨリソースの割り当ては、無線リソースの浪費を招き得る。したがって、この場合、ＨＯコマンドは、ＵＥ３１０によって正しく受信されるようにするために、いくつかのハイブリッド自動再送要求（ＨＡＲＱ：ｈｙｂｒｉｄ  ａｕｔｏｍａｔｉｃ  ｒｅｐｅａｔ  ｒｅｑｕｅｓｔ）送信を行ってもよい。このように、ＵＬ−ＳＣＨリソースは、より長い時間、ＨＯ確認メッセージ１８５のために、確保されている必要がある。これは、無線の効率上からは望ましくない。
【００２７】
あるいは、ＨＯ確認メッセージ１８５の送信のためのスタート・タイマーが、ターゲットｅＮｏｄｅ−Ｂ３２０によってセットされ得る。この場合、スタート時間はＸ２インターフェース上の最悪のケースの遅延および最大ＨＡＲＱ送信遅延を考慮してセットされなければならない。Ｘ２インターフェースとは、２つのｅＮｏｄｅ−Ｂの間のインターフェースである。したがって、ＨＯ中断時間３９５は、一部の送信のために不必要に大きくなり得る。
【００２８】
無線ネットワークの同期ＨＯ手順のための更に他の方法としては、モトローラ（登録商標）による文書のＲ２−０７０２１４の非特許文献４によって提案されている。
【００２９】
この場合に、ソースｅＮｏｄｅ−Ｂ４１５からＨＯ要求１４０を受け取った後に、ターゲットｅＮｏｄｅ−Ｂ４２０は、Ｃ−ＲＮＴＩを割り当て、かつＣＱＩレポートのために専用のリソースおよびスケジューリング要求チャネルを指定する。これは、ＨＯ要求ＡＣＫメッセージ４５０によってなされる。ターゲットｅＮｏｄｅ−Ｂ４２０は、ＨＯコマンド・メッセージ４５５によって、ソースｅＮｏｄｅ−Ｂ４１５を介して、ＵＥ４１０にこの情報を伝達する。
【００３０】
ターゲットｅＮｏｄｅ−Ｂ４２０に対する同期調整の後、ＵＥ４１０は、割り当てられた専用のリソース上で、ＣＱＩレポート４７５またはスケジューリング要求（ＳＲ：ｓｃｈｅｄｕｌｉｎｇ  ｒｅｑｕｅｓｔ）メッセージを送ることによって、ターゲットセルにアクセスする。したがって、ターゲットｅＮｏｄｅ−Ｂ４２０は、レイヤー１／レイヤー２制御チャネル（ＵＬグラント）メッセージ４８０によって、専用のリソースをＵＥ４１０に割り当てる。
【００３１】
図３に示される手順と同様に、図４のメッセージ・シーケンスチャート４００において、ターゲットセル内の専用のリソースによって、ＵＥは通信を行う。しかしながら、図３のＵＬ−ＳＣＨリソース３５０、３５５の代わりに、図４に示すように、ＣＱＩ／ＳＲリソース４５０、４５５が使用される。ＣＱＩ／ＳＲリソース・スペースは、コードおよび時間スペースとして、視覚化することができる。ＣＱＩ／ＳＲレポートは、また、周期的かあるいはトリガーに基づいてもよい。周期的なレポートの場合において、ＵＥ４１０は、周期的なパターンで、コードおよび時間リソースが割り当てられる。ＵＥ４１０の見地からすると、割り当てられたＣＱＩ／ＳＲチャネルは、与えられた時間にＵＥ４１０のために提供される。それゆえに、無コンテンションＣＱＩレポートおよびスケジューリングリクエストが許容される。
【００３２】
ＣＱＩレポートは、ＤＬ送信のリンク適合をアシストする。それ故、ＣＱＩレポートは、アクティブな転送を行っているＵＥにのみ役立つ。ＵＥ４１０は、そのＬＴＥ＿Ｃｏｎｎｅｃｔｅｄ状態のアクティビティレベルに従って２つのモードに分類することが可能である。ＵＥ４１０がＲＲＣ＿Ｃｏｎｎｅｃｔｅｄ状態にある場合であって、かつそれが通信に対してアクティブに関係している場合、ＵＥ４１０はｓｈｏｒｔ＿ＤＲＸまたは連続状態（ｃｏｎｔｉｎｕｏｕｓ  ｓｔａｔｅ）にあると判断される。ＵＥがＲＲＣ＿ｃｏｎｎｅｃｔｅｄの状態にあるが、アクティブに通信に関係していない場合、ｌｏｎｇ＿ＤＲＸの状態にあると判断される。
【００３３】
実際上、膨大な数（数千）の、ｌｏｎｇ＿ＤＲＸ状態のＵＥが存在する。そして、わずか２００−４００の数のＵＥだけが、ｓｈｏｒｔ＿ＤＲＸまたは連続受付モードであり得る。
【００３４】
したがって、実際には、図４に提案された専用のＣＱＩ／ＳＲチャネルをｌｏｎｇ＿ＤＲＸ状態のＵＥ動作に割り当てるアプローチは、非効率的である。また、ＣＱＩチャネル・リソースの割り当ては、ＨＯコマンドで使用される大きいメッセージ長のために、一定レベルの無線リソースの消耗を招く。さらに、ＵＥ４１０に新規な（ターゲット）セルにアクセスするために長い時間がかかる場合に備えて、前もって専用のＣＱＩ／ＳＲリソースを割り当てることは、無線リソースの浪費を招きかねない。
【００３５】
したがって、現在のハンドオーバ技術、特に、提案されているワイヤレス・ネットワークの同期ハンドオーバは、最適状態に及ばない。無線ネットワークにおける同期ハンドオーバにかかるこの課題に対処する改良されたメカニズムの実現が有利であり、特にＲＡＣＨ負荷を減少させることが望まれる。
【課題を解決するための手段】
【００３６】
［発明の開示］
したがって、本発明は、上述した欠点の一つ以上を改善し、軽減し、除去しようとするものである。
【００３７】
本発明の第１の態様によれば、ワイヤレス・ネットワーク内で、第１の基地局から第２の基地局へのワイヤレス加入者通信ユニットのハンドオーバのための方法が提供される。
本方法は、第１の基地局において、前記ワイヤレス加入者通信ユニットから肯定応答メッセージを受信するステップであって、前記肯定応答メッセージは、前記ワイヤレス加入者通信ユニットが前記第２の基地局にハンドオーバされることになっていることを伝える、ところのステップと、前記肯定応答メッセージに応答して、前記第２の基地局に、次のハンドオーバ確認メッセージが前記ワイヤレス加入者通信ユニットから送られるためのチャネルを要求するスケジューリング要求メッセージを送信するステップと、を有する。
【００３８】
本発明の一実施例において、発明のコンセプトを使用することは、ＵＥに制御チャネルだけを知らせることによって、ＲＡＣＨまたは専用のＨＯのためのリソースに依存する必要性を回避する。制御チャネルとしては、Ｌ１／Ｌ２制御チャネルであってもよい。これは、ＵＥに専用チャネルにアクセスすることを必要とさせない。
【００３９】
本発明の追加的特徴によれば、前記スケジューリング要求メッセージの送信は、第１の基地局から第２の基地局にデータパケットのデータを送る前に、行われてもよい。このように、転送のためのデータの準備は、スケジューリング要求メッセージの送信より前に、完了状態である必要はない。それゆえに、データ処理のために生じる待ち時間が減少し得る。
【００４０】
本発明の追加的特徴によれば、前記スケジューリング要求メッセージの送信は、第１の基地局から第２の基地局に送るデータパケットのデータの転送と結合してもよい。このように、データ処理のために生じる待ち時間が減少し得る。
【００４１】
本発明の追加的特徴によれば、ハンドオーバコマンド・メッセージは、ワイヤレス加入者通信ユニットが第２の基地局でサポートされる通信セルにおいて使用する識別子（Ｃ−ＲＮＴＩ）を有してもよい。このように、ＵＥは、割り当てられたＣ−ＲＮＴＩによって、明確に第２の基地局において、特定されることができる。
【００４２】
本発明の一実施例において、ハンドオーバ手順のための許容できる中断時間が提供される。
【００４３】
例えば、ワイヤレス・ネットワークの同期ハンドオーバ手順を、よりスムーズに、かつ／またより高い信頼度で実行することによって、本発明は、通信システムの通信リソースの改良された利用が可能である。例えば、ワイヤレス・ネットワークの同期ハンドオーバ手順を、よりスムーズに、かつ／またより高い信頼度で実行することによって、本発明は、エンドユーザによって認識できる、改良されたパフォーマンスが得られる。例えば、ワイヤレス・ネットワークの同期ハンドオーバ手順を、よりスムーズに、かつ／またより高い信頼性で、実行することによって、本発明は、より高いスループットレートを提供することができる。
【００４４】
本発明の追加的特徴によれば、発明のコンセプトは、同期ネットワークに適用され得る。この場合、無線加入者通信ユニットは、新規なセルにおけるセル・アクセスの前に新規なセルにＵＬ同期を得ることが可能である。この種の同期ネットワークにおいて、ワイヤレス加入者通信ユニットはソースセルのタイミングアドバンス（ＴＡ）およびソースセルとターゲットセルとから受けた信号間の時間差に基づいて、ＴＡを算出することが可能であり得る。
【００４５】
本発明の追加的特徴によれば、ソースセルとターゲットセルとの間の時間差がワイヤレス加入者通信ユニットに提供され、かつ無線加入者通信ユニットがＴＡを算出することが可能である場合、発明のコンセプトは非同期ネットワークに適用され得る。
【００４６】
本発明によって、セルラー通信システムが、より能率的にハンドオーバを実行することができる。
【００４７】
本発明は、一部の既存の通信システム、例えば３ｒｄ  Ｇｅｎｅｒａｔｉｏｎ  Ｐａｒｔｎｅｒｓｈｉｐ  Ｐｒｏｊｅｃｔ（３ＧＰＰ）セルラー通信システムまたはｌｏｎｇ−ｔｅｒｍ  ｅｌｏｌｕｔｉｏｎ（３ＧＰＰ）セルラー通信システムとの互換性を持ってもよい。
【００４８】
本発明の第２の態様によれば、ワイヤレス・ネットワークにおける、第１の基地局から第２の基地局へのワイヤレス加入者通信ユニットのハンドオーバのための方法が提供される。当該方法は、第２の基地局で、次のハンドオーバ確認メッセージが前記ワイヤレス加入者通信ユニットから送られるためのチャネルを要求するスケジューリング要求メッセージを、前記第１の基地局から受信するステップと、前記スケジューリング要求メッセージに応答して、前記ワイヤレス加入者通信ユニットがハンドオーバ（ＨＯ）確認メッセージを前記第２の基地局に送信するための少なくとも一つのアップリンクスケジューリングリソース（ＵＬ−ＳＣＨ）をスケジューリングするステップと、を更に含んでもよい。
【００４９】
本発明の追加的特徴によれば、当該方法は、ワイヤレス加入者通信ユニットに、少なくとも一つのアップリンク・スケジューリング・リソース（ＵＬ−ＳＣＨ）を知らせるために、制御チャネル・メッセージをワイヤレス加入者通信ユニットに送信するステップを更に含んでもよい。
【００５０】
これによって、制御チャネル（例えばＬ１／Ｌ２制御チャネル）は、与えられた（短い）持続時間において、共用チャネル（ＵＬ−ＳＣＨ）リソースをＵＥに割り当てるために使用され得る。これは、通常はワイヤレス・ネットワークの同期ハンドオーバ手順に１ミリ秒の遅延を付加するだけである。好適にも、Ｌ１／Ｌ２のコントロールチャネルの利用は、全てのＵＥによってリソースがモニタされることを確保する。
【００５１】
本発明の追加的特徴によれば、当該方法は、少なくとも一つのアップリンク・スケジューリング・リソース（ＵＬ−ＳＣＨ）上のワイヤレス加入者通信ユニットからハンドオーバ確認メッセージを受信するステップを更に含んでもよい。このように、ＵＬ−ＳＣＨリソースは、小さい時間的尺度の中で多数のＵＥが共用することを可能とする。
【００５２】
本発明の追加的特徴によれば、前記ハンドオーバ確認メッセージを受信するステップは、ワイヤレス加入者通信ユニットから並行してチャネル品質情報（ＣＱＩ）を受信するステップを更に含んでもよい。このように、周知のＣＱＩ／ＳＲベースのハンドオーバ手順と比較して（図４にて図示したように）、全てのＣＱＩ／ＳＲチャネルは、（ｌｏｎｇ＿ＤＲＸ状態の）全てのケースで、もはや必要ではない。したがって、発明のコンセプトは、不必要なチャネルコンフィギュレーション、および不必要なＣＱＩ／ＳＲチャネル・リソースの使用を防止する。
【００５３】
本発明の追加的特徴によれば、ハンドオーバ確認メッセージを受信するステップは、ワイヤレス加入者通信ユニットからスケジューリング要求を並行して受信するステップを更に含んでもよい。
【００５４】
本発明の追加的特徴によれば、当該方法は、ハンドオーバ確認メッセージを受信することに応答して、第１の基地局から第２の基地局に通信のパス切り替えを始めることによって、ＨＯ手順を完了するステップを更に含んでもよい。
【００５５】
本発明の第３の態様によれば、ワイヤレス・ネットワーク内で、第１の基地局から第２の基地局へのワイヤレス加入者通信ユニットのハンドオーバのための方法が提供される。当該方法は、ワイヤレス加入者通信ユニットにおいて、前記第１の基地局からハンドオーバコマンド・メッセージを受信するステップと、前記第２の基地局と通信するための制御チャネル上の少なくとも一つのアップリンク・スケジューリング・リソース（ＵＬ−ＳＣＨ）を受信するステップと、前記少なくとも一つのアップリンク・スケジューリング・リソース（ＵＬ−ＳＣＨ）上の前記第２の基地局に、ハンドオーバ確認メッセージを送信するステップと、前記第２の基地局でサポートされるセルにおいて前記第２の基地局にアップリンク・データを送信するステップと、を更に有する。
【００５６】
本発明の追加的特徴によれば、当該方法は、第２の基地局でサポートされるセル内での通信のためのタイミングアドバンスを、同期ネットワークのプロパティを用いて算出するステップを更に含む。このように、ＵＥは、アクセスの前に第２の基地局にＵＬ同期する。このため、非同期ＲＡＣＨチャネルを通じてのアクセスを回避する。
【００５７】
本発明の第４の態様によれば、ワイヤレス・ネットワークにおいて、第２の基地局に対するワイヤレス加入者通信ユニットのハンドオーバが可能な基地局が提供される。基地局は、前記ワイヤレス加入者通信ユニットから肯定応答メッセージを受信するためのロジックであって、前記肯定応答メッセージは、前記ワイヤレス加入者通信ユニットが前記第２の基地局にハンドオーバされることになっていることを伝える、ところのロジックと、前記肯定応答メッセージに応答して、前記第２の基地局に、次のハンドオーバ確認メッセージが前記ワイヤレス加入者通信ユニットから送られるためのチャネルを要求するスケジューリング要求メッセージを送信するためのロジックと、を更に有する。
【００５８】
本発明の第５の態様によれば、ワイヤレス・ネットワークにおいて、ワイヤレス加入者通信ユニットのハンドオーバ通信を第１の基地局から受信することが可能な基地局が提供される。基地局は、前記ワイヤレス加入者通信ユニットからの次のハンドオーバ確認メッセージのためのチャネルを要求するスケジューリング要求メッセージを、前記第１の基地局から受信するためのロジックと、前記スケジューリング要求メッセージに応答して、前記ワイヤレス加入者通信ユニットがハンドオーバ（ＨＯ）確認メッセージを前記基地局に送信するための少なくとも一つのアップリンクスケジューリングリソース（ＵＬ−ＳＣＨ）をスケジューリングするためのロジックと、を有する。
【００５９】
本発明の第６の態様によれば、第１の基地局からワイヤレス・ネットワークの第２の基地局へのハンドオーバが可能なワイヤレス加入者通信ユニットが提供される。ワイヤレス加入者通信ユニットは、前記第１の基地局からハンドオーバコマンド・メッセージを受信するためのロジックと、前記第２の基地局と通信するための制御チャネル上の少なくとも一つのアップリンク・スケジューリング・リソース（ＵＬ−ＳＣＨ）を受信するためのロジックと、ハンドオーバ確認メッセージを前記少なくとも一つのアップリンク・スケジューリング・リソース（ＵＬ−ＳＣＨ）上の前記第２の基地局に送信するためのロジックと、前記第２の基地局でサポートされるセルの前記第２の基地局にアップリンク・データを送信するためのロジックと、を有する。
【００６０】
本発明の第７の態様によれば、ワイヤレス・ネットワークにおいて、第１の基地局から第２の基地局へのワイヤレス加入者通信ユニットのハンドオーバのためのロジックが提供される。ロジックは、実行可能なプログラムコードを有する。プログラムコードは、前記ワイヤレス加入者通信ユニットから肯定応答メッセージを受信する手順であって、前記肯定応答メッセージは、前記ワイヤレス加入者通信ユニットが前記第２の基地局にハンドオーバされることになっていることを伝える、ところの手順と、前記肯定応答メッセージに応答して、前記第２の基地局に、次のハンドオーバ確認メッセージが前記ワイヤレス加入者通信ユニットから送られるためのチャネルを要求するスケジューリング要求メッセージを送信する手順と、を実行可能である。
【００６１】
第８の本発明の態様によればワイヤレス・ネットワーク内で、第１の基地局から第２の基地局へのワイヤレス加入者通信ユニットのハンドオーバのためのロジックが提供される。このロジックは、実行可能プログラムコードを有する。このプログラムコードは、前記ワイヤレス加入者通信ユニットから送られる次のハンドオーバ確認メッセージのためのチャネルを要求するスケジューリング要求メッセージを前記第１の基地局から受信する手順と、前記スケジューリング要求メッセージに応答して、前記ワイヤレス加入者通信ユニットがハンドオーバ（ＨＯ）確認メッセージを前記第２の基地局に送信するための、少なくとも一つのアップリンクスケジューリングリソース（ＵＬ−ＳＣＨ）をスケジューリングする手順とを実行可能である。
【００６２】
第９の本発明の態様によれば、ワイヤレス・ネットワーク内で、第１の基地局から第２の基地局へのワイヤレス加入者通信ユニットのハンドオーバのためのロジックが提供される。ロジックは実行可能プログラムコードを有し、前記プログラムコードは、前記第１の基地局からハンドオーバコマンド・メッセージを受信する手順と、前記第２の基地局と通信するための制御チャネル上の少なくとも一つのアップリンク・スケジューリング・リソース（ＵＬ−ＳＣＨ）を受信する手順と、前記少なくとも一つのアップリンク・スケジューリング・リソース（ＵＬ−ＳＣＨ）上の前記第２の基地局に、ハンドオーバ確認メッセージを送信する手順と、前記第２の基地局でサポートされるセルにおいて前記第２の基地局にアップリンク・データを送信する手順と、を実行可能である。
【００６３】
第１０の本発明の態様によれば、ワイヤレス・ネットワーク内で、第２の基地局にワイヤレス加入者通信ユニットのハンドオーバが可能な基地局を有するセルラー通信システムが提供される。基地局は、前記ワイヤレス加入者通信ユニットから肯定応答メッセージを受信するためのロジックであって、前記肯定応答メッセージは、前記ワイヤレス加入者通信ユニットが前記第２の基地局にハンドオーバされることになっていることを伝える、ところのロジックと、前記肯定応答メッセージに応答して、前記第２の基地局に、次のハンドオーバ確認メッセージが前記ワイヤレス加入者通信ユニットから送られるためのチャネルを要求するスケジューリング要求メッセージを送信するためのロジックと、を有する。
【００６４】
第１１の本発明の態様によれば、ワイヤレス・ネットワーク内で、第１の基地局からワイヤレス加入者通信ユニットのハンドオーバが可能な基地局を有しているセルラー通信システムが提供される。基地局は、次のハンドオーバ確認メッセージが前記ワイヤレス加入者通信ユニットから送られるためのチャネルを要求するスケジューリング要求メッセージを前記第１の基地局から受信するためのロジックと、前記スケジューリング要求メッセージに応答して、前記ワイヤレス加入者通信ユニットがハンドオーバ（ＨＯ）確認メッセージを前記基地局に送信するための少なくとも一つのアップリンクスケジューリングリソース（ＵＬ−ＳＣＨ）をスケジューリングするためのロジックと、を有する。
【００６５】
第１２の本発明の態様によれば、ワイヤレス・ネットワーク内で、第２の基地局にワイヤレス加入者通信ユニットのハンドオーバが可能な基地局を有しているセルラー通信システムが提供される。ワイヤレス加入者通信ユニットは、前記第１の基地局からハンドオーバコマンド・メッセージを受信するためのロジックと、前記第２の基地局と通信するための制御チャネル上の少なくとも一つのアップリンク・スケジューリング・リソース（ＵＬ−ＳＣＨ）を受信するためのロジックと、前記少なくとも一つのアップリンク・スケジューリング・リソース（ＵＬ−ＳＣＨ）上の前記第２の基地局に、ハンドオーバ確認メッセージを送信するためのロジックと、前記第２の基地局でサポートされるセルにおいて前記第２の基地局にアップリンク・データを送信するためのロジックと、を有する。
【００６６】
本発明のこれらのそしてまた他の態様、特徴、および効果は、以下に記載される実施例から明らかとなる。本発明の実施例は、事例として添付の図面に即して後述する。
【図面の簡単な説明】
【００６７】
【図１】周知のワイヤレス・ネットワークの内部ＬＴＥ非同期ハンドオーバ手順のメッセージ・シーケンスチャートである。
【図２】周知のワイヤレス・ネットワークの内部ＬＴＥ非同期ハンドオーバ手順のメッセージ・シーケンスチャートである。
【図３】周知のワイヤレス・ネットワークの内部ＬＴＥ同期ハンドオーバ手順のメッセージ・シーケンスチャートである。
【図４】周知のワイヤレス・ネットワークの内部ＬＴＥ同期ハンドオーバ手順のメッセージ・シーケンスチャートである。
【図５】本発明の一部の実施例に従って構成される無線通信方式の一部の要素の概要である。
【図６】本発明の一部の実施例に従うワイヤレス・ネットワークの内部ＬＴＥ同期ハンドオーバ手順のメッセージ・シーケンスチャートである。
【図７】本発明の実施例の処理機能をインプリメントするために使用され得る典型的なコンピューティングシステムである。
【発明を実施するための形態】
【００６８】
［本発明の実施例の詳細な説明］
以下の説明は、Ｅｖｏｌｖｅｄ−ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）セルラー通信システム、および、特に、３ｒｄ  Ｇｅｎｅｒａｔｉｏｎ  Ｐａｒｔｎｅｒｓｈｉｐ  Ｐｒｏｊｅｃｔ（３ＧＰＰ）システムにおける、時分割複信（ＴＤＤ）モードで動作するＥｖｏｌｖｅｄ−ＵＴＲＡＮ（ＵＭＴＳ  Ｔｅｒｒｅｓｔｒｉａｌ  ＲａｄｉｏＡｃｃｅｓｓ  Ｎｅｔｗｏｒｋ（ＵＴＲＡＮ））に適用できる本発明の実施例に焦点を当てている。しかしながら、本発明がこの特定のセルラー通信システムに限られるものではなく、他のセルラー通信システムに適用され得ることはいうまでもない。
【実施例】
【００６９】
ここで図５を参照する。本発明の一実施例に従って、無線通信方式５００の概要が示されている。この実施例において、無線通信方式５００は、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）エアーインタフェースに準拠し、かつこのインターフェースで動作が可能なネットワーク・エレメントを含む。特に、実施例はＥｖｏｌｖｅｄ−ＵＴＲＡＮ（ＥＵＴＲＡＮ）無線通信方式のためのシステム・アーキテクチュアに関する。そして、これは３ＧＰＰにおいて現在検討中である。これは、また、Ｌｏｎｇ  Ｔｅｒｍ  Ｅｖｏｌｕｔｉｏｎ（ＬＴＥ）と称する。
【００７０】
アーキテクチュアは、無線アクセスネットワーク（ＲＡＮ：Ｒａｄｉｏ  Ａｃｃｅｓｓ  Ｎｅｔｗｏｒｋ）および、コアネットワーク（ＣＮ）要素を含む。コアネットワーク５０４は、インターネットまたは一般加入電話ネットワークのような外部ネットワーク５０２に接続されている。ＲＡＮの主要な構成要素は、ｅＮｏｄｅ−Ｂ（進化したＮｏｄｅ−Ｂ）５１０、５２０である。これは、Ｓ１インターフェースを介してＣＮ５０４に、およびＵｕインターフェースを介してＵＥ５２０に接続される。ｅＮｏｄｅ−Ｂ５１０、５２０は、無線リソース関連機能を制御し、かつ管理する。連続したＮｏｄｅ−Ｂ５１０、５２０は、通常はネットワークのための下位レイヤー処理を実行する。これは、媒体アクセス制御（ＭＡＣ）、送信のためのデータブロックのフォーマット化、物理的にトランスポートブロックをＵＥ５２５に送信する機能等を実行する。
【００７１】
ＣＮ５０４は、２つの主要な構成要素を有する。すなわち、サービングａＧＷ（ｓｅｒｖｉｎｇ  ａｃｃｅｓｓ  ｇａｔｅｗａｙ）５０６およびＭＭＥ（ｍｏｂｉｌｉｔｙ  ｍａｎａｇｅｍｅｎｔ  ｅｎｔｉｔｙ）５０８である。サービングａＧＷ５０６は、Ｕ−ｐｌａｎｅ（ユーザ−プレーン）通信を制御する。転送量の提供のマネージメントは、ＲＲＣ＿ＣｏｎｎｅｃｔｅｄユーザのためのサービングａＧＷによって管理される。ＭＭＥ５０８は、ｃ−ｐｌａｎｅ（制御プレーン）通信を制御する。ここで、ユーザ移動（ｕｓｅｒ  ｍｏｂｉｌｉｔｙ）、ベアラ確立（ｂｅａｒｅｒ  ｅｓｔａｂｌｉｓｈｍｅｎｔ）、およびＱｏＳサポートが、ＭＭＥ５０８によって扱われる。
【００７２】
Ｅ−ＵＴＲＡＮ  ＲＡＮは、ダウンリンク（ＤＬ）においてＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）に基づき、アップリンク（ＵＬ）において、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）に基づく。Ｅ−ＵＴＲＡＮにおいて使用される無線フレームフォーマットおよび物理レイヤー構成に関する詳細な情報は、非特許文献５に記載されている。
【００７３】
Ｎｏｄｅ−Ｂ５１０は、無線でＵＥ５２５に接続される。各々のＮｏｄｅ−Ｂは、一つ以上のトランシーバ・ユニット５１２、５２２を含み、これらは、動作可能な状態でそれぞれの信号処理ロジック５１４、５２４に接続されている。同様に、各々のＵＥは、トランシーバ・ユニット５２７を有する。これらは、動作可能な状態で信号処理ロジック５２９に接続される（１つのＵＥだけが、明確に示すために詳細に図示されている）。そして、各々のＵＥは、それぞれの位置エリアの通信をサポートしているＮｏｄｅ−Ｂと通信する。
【００７４】
システムは多くの他のＵＥ、およびＮｏｄｅ−Ｂを有する。それらは、図を明確にするため、図示されていない。
【００７５】
本発明の一実施例に従って、ＵＥ５２５、すなわち、具体的にはトランシーバ・ユニット５２７および信号処理ロジック５２９のオペレーションは、制御チャネル・メッセージを受信する。例えば、通信のＵＥが移動しているセルをサポートしているターゲットｅＮｏｄｅ−ＢからのＬ１／Ｌ２制御チャネル・メッセージを受信する。この点は、図６において更に詳細に記載されている。ＵＥ５２５、すなわち、具体的にはトランシーバ・ユニット５２７、および信号処理ロジック５２９のオペレーションは、ハンドオーバ確認メッセージを有するＬ１／Ｌ２制御チャネル・メッセージに応答する。応答は、割り当てられたグラントされたＵＬチャネルで、（ソース（サービング）ｅＮｏｄｅ−Ｂを介して）ターゲットｅＮｏｄｅ−Ｂに送信される。更なる詳細は図６に示す。
【００７６】
本発明の一実施例に従って、基地局、例えばソースｅＮｏｄｅ−Ｂ５１０、さらに具体的には、トランシーバ・ユニット５１２、および信号処理ロジック５１４のオペレーションは、スケジューリング要求メッセージ６０５を送信する。このスケジューリング要求メッセージ６０５は、ＵＥ５２５が配置されている通信セルからＵＥ５２５が移動する通信セルに送られる。
【００７７】
本発明の一実施例に従って、基地局、例えばターゲットｅＮｏｄｅ−Ｂ５２０、さらに具体的には、トランシーバ・ユニット５２２、および信号処理ロジック５２４のオペレーションは、ソースｅＮｏｄｅ−Ｂからスケジューリング要求メッセージを受信する。そして、このメッセージに応答して、Ｌ１／Ｌ２制御チャネル・メッセージを送信する。このＬ１／Ｌ２制御チャネル・メッセージは、ＵＥが移動する通信セルからＵＥ５２５に送られる。この更なる詳細は図６に示す。ターゲットｅＮｏｄｅ−Ｂ５２０、さらに具体的には、トランシーバ・ユニット５２２、および信号処理ロジック５２４のオペレーションは、Ｌ１／Ｌ２制御チャネル・メッセージにおいて割り当てられたＵＬチャネル上のＵＥから送られたＨＯ確認メッセージを認識し、このメッセージに応答して、ＡＣＫメッセージをＵＥ５２５に送信する。更なる詳細は図６に示す。
【００７８】
ここで図６を参照する。メッセージ・シーケンスチャート６００が示されている。そして、本発明の一部の実施例に従ってハンドオーバ（ＨＯ）手順が示されている。図６のＨＯ手順に関係するステップは、本発明の実施例に従って、周知のＨＯ手順である従来のオペレーション１３０、１３５、１４０、３５０、３５５、４５０、４５５を利用する。許可コントロールを実行した後に、ターゲットｅＮｏｄｅ−Ｂ６２０は、ターゲットセルにおいて使用されるＣ−ＲＮＴＩを割り当てる。この情報は、ＨＯ要求ＡＣＫメッセージ３５０、４５０、およびＨＯコマンドメッセージ３５５、４５５を通じてソースｅＮｏｄｅ−Ｂ６１５を介して、ＵＥ６１０に伝達される。
【００７９】
ＨＯコマンドに対するＨＡＲＱ  ＡＣＫ１６０を受信した後に、ソースｅＮｏｄｅ−Ｂ６１５は、スケジューリング要求メッセージ６５０をターゲットｅＮｏｄｅ−Ｂ６２０に送信する。メッセージ６５０が新規なメッセージであることに注目すべきである。そして、これは従来のＨＯ手順には見られない。このメッセージ６５０は、ＵＥ６１０がソースセルのＨＯコマンド３５５、４５５を正しく受信したこと、およびＵＥ６１０がターゲットセルへの接続を確立する用意がある旨の報知信号（ｉｎｄｉｃａｔｉｏｎ）を伝達する。ＨＯコマンドＡＣＫ１６０を受信した後に、ソースｅＮｏｄｅ−Ｂ６１５は、データ（ＵＬ、およびＤＬ）１６５を用意し、ターゲットｅＮｏｄｅ−Ｂ６２０に転送する１７０。本発明の一実施例において、ＵＬおよびＤＬのためのデータ転送は、合意されたＲＡＮ２＃５８のＬＴＥに準拠していることに留意すべきである。
【００８０】
本発明の一実施例において、スケジューリング要求メッセージの送信は、第１の基地局から第２の基地局への転送データと結合してもよい。これは、データの転送の前に行うのと比較することができる。
【００８１】
スケジューリング要求メッセージ６５０を受信した後に、ターゲットｅＮｏｄｅ−Ｂ６２０はＵＬ−ＳＣＨ上にリソースをＵＥ６１０に割り当てる。そして、スケジューリンググラントが、Ｌ１／Ｌ２制御チャネル６８０を通じて送信される。ここで、ターゲットセルのＣ−ＲＮＴＩは、ターゲットセルのＵＥ６１０を特定するために使用される。本発明の別の実施例において、メッセージ６８０は、スケジューリング要求メッセージ６５０の後、すぐに生成され得る。ＵＥ６１０は、割り当てられたＵＬ−ＳＣＨリソースを通じてＨＯ確認メッセージ６８５を送信する。
【００８２】
さらに他の本発明の実施例において、呼品質情報（ＣＱＩ）および／またはスケジューリング要求メッセージ６５０は、必要に応じて、ＨＯ確認メッセージ６８５に乗せられてもよい。
【００８３】
本実施例において、ＣＱＩは、ＤＬ送信のための最良の副搬送波周波数を見つけるために使用され得る。したがって、ｅＮｏｄｅ−Ｂスケジューラは、ＣＱＩに基づき、ＤＬデータ転送のための最良の周波数帯を選ぶことによってリンク適合を実行することが可能である。ＤＬリンク適合を実行するために、本発明の本実施例で、ＣＱＩがＵＬデータ・ペイロード（この場合、ＨＯ確認メッセージ６８５）に乗せられてもよい。本実施例において、スケジューリング要求は、ＵＥ６１０が送信されるべきＵＬデータを持っていることを、ｅＮｏｄｅ−Ｂに知らせるために使用され得る。ＨＯ確認メッセージが送られるときと同時に、送信するべきＵＥ６１０がＵＬデータを持っている場合、スケジューリング要求も、ＵＬデータ・ペイロードに乗せられてもよい。ＵＥ６１０は、ＵＬにデータとＣＱＩとをＣＱＩ／ＳＲチャネル上で並行して送ることはできないことに留意すべきである。なぜなら、ＳＣ−ＣＤＭＡは、シングルキャリアプロパティであるからである。そして、ＣＱＩ／ＳＲチャネル・リソースは、ＵＬ−ＳＣＨから分離されることも留意すべきである。
【００８４】
ＳＣ−ＣＤＭＡのシングルキャリアプロパティでは、ＵＬ送信が周波数領域において隣接する（ｃｏｎｔｉｇｕｏｕｓ）ことが必要である。ＣＱＩ／ＳＲチャネルのための周波数リソースは、アップリンク共用チャネル（ＵＬ−ＳＣＨ）のために用意された周波数リソースから分離されている。それ故、ＵＥは、ＣＱＩ／ＳＲチャネルと、ＵＬ−ＳＣＨとを同時に伝達することは許されない。
【００８５】
本発明の一部の実施例では、プロセスは、ＨＯアクセスのための専用のリソースに依存しなくてもよい。それ故、本発明のこの実施例において、プロセスは、無線効率的なＨＯ手順を同期ネットワークに提供し得る。
【００８６】
本発明の一部の実施例によれば、例えばＵＥがｌｏｎｇ＿ＤＲＸ状態の動作であるときに、ＵＥハンドオーバが発生する場合、ＣＱＩ／ＳＲチャネルの確立は必要とされない。したがって、本発明のこの実施例において、ハンドオーバ・オペレーションが完了状態となった直後に、ＵＥはｌｏｎｇ＿ＤＲＸ状態に移行してもよい。したがって、この点に関しては、本発明の実施例は、ｌｏｎｇ＿ＤＲＸ状態のＵＥのハンドオーバは、より少ないシグナリング・オーバーヘッドとなる。
【００８７】
本発明の一部の実施例に従って、例えばＵＥがｓｈｏｒｔ＿ＤＲＸ状態の動作であるときに、ＵＥハンドオーバが発生する場合には、例えば、ＨＯ確認メッセージ６８５を受信した後に、ターゲットｅＮｏｄｅ−Ｂ６２０は、ＣＱＩ／ＳＲチャネルを確立してもよい。したがって、ｓｈｏｒｔ＿ＤＲＸ状態において動作しているＵＥ６１０は、ｌｏｎｇ＿ＤＲＸ状態における場合と同様に扱われる。ＨＯ確認メッセージ６８５を受信した後に、ターゲットｅＮｏｄｅ−Ｂ６２０は、ｓｈｏｒｔ＿ＤＲＸオペレーションのために必要なチャネルを構成する。この場合、ＣＱＩ／ＳＲチャネル、およびｓｈｏｒｔ＿ＤＲＸ期間が、ターゲットｅＮｏｄｅ−Ｂ６２０において構成され得る。チャネル構成は、無線リソース管理（ＲＲＭ）ロジックによって設定され得る。このチャネル構成は、ソースｅＮｏｄｅ−Ｂ６１５で使用されるものと異なってもよい。ＨＯ確認メッセージ６８５の受信の後、ＵＥ６１０がターゲットｅＮｏｄｅ−Ｂ６２０に連結（ａｔｔａｃｈ）される。そして、ターゲットｅＮｏｄｅ−Ｂ６２０が、ソースｅＮｏｄｅ−Ｂ６１５となる。
【００８８】
本願明細書に記載されている一部の実施例によって提供される１つの効果を理解するために、ＨＯ中断時間（しばしば、Ｕ−プレーン中断時間と称される）を取り上げる。ＨＯ中断時間は、以下の４つの主要な構成要素を有する：
（ａ）  無線レイヤープロセス
（ｂ）  ＵＬ  ＲＲＣシグナリング
（ｃ）  ＤＬ  ＲＲＣシグナリング
（ｄ）  データ転送遅延。
【００８９】
無線レイヤープロセス待ち時間は、ＵＥ６１０によるＨＯコマンドの受信から、ターゲットｅＮｏｄｅ−Ｂ６２０の提供するＵＬリソース割り当てまでの間の遅延として定義できる。したがって、無線レイヤープロセスは、周波数同期遅延と、ＤＬ同期遅延と、ＵＬリソース要求と、タイミングアドバンス取得遅延とから構成される。当業者は、周波数同期遅延、およびＤＬ同期遅延は、既に言及した図１ないし４図および図６の手順において同じであることを理解するであろう。ＵＥは、測定期間の間に、周波数同期、およびＤＬ同期を得る。したがって、ＵＥは、タイミングオフセットを利用して、ターゲットセルＤＬタイミングをソースセルＤＬタイミングと関連づけることができると仮定することができる。それ故、非同期ネットワークに対するこの遅延は、通常は、１ミリ秒未満の値に収まると考えられる。
【００９０】
これに対して、同期ネットワークでは、ターゲットセルのＤＬタイミングは、実質的にソースセルＤＬタイミングと同様である。それ故、この構成要素からの遅延効果は、同期ネットワークにおいては、０ミリ秒である。
【００９１】
ＵＬリソース要求と、タイミングアドバンス（ＴＡ）取得遅延とによって引き起こされる中断時間に関しては、この中断時間は、適用されるそれぞれの手順に依存する。
ＴＡがＲＡＣＨにアクセスすることによって取得できる図１、および図２の周知の非同期ネットワークにおいて、遅延は以下の要素を有する：
（ｉ）ＲＡＣＨアクセススロットのための待ち（通常は２．５ミリ秒であり、ＲＡＣＨインターバルが考えられる場合、５ミリ秒である）
（ｉｉ）ＴＡプレアンブル送信（通常は１ミリ秒の程度である）
（ｉｉｉ）ＴＡ受信、およびＨＯ確認メッセージのためのＵＬリソースグラント（通常は７．５ミリ秒程度である）
したがって、ＵＬリソース、およびＴＡ取得のトータルの遅延は、通常は１１ミリ秒の程度である。当業者であれば、これがベストケース・シナリオであることを理解するであろう。すなわち、ＨＯコマンドの送信の再送が無く、かつＲＡＣＨチャネルでコンテンションが無い場合である。もし、再送遅延が発生したり、コンテンションによる遅延が発生したりした場合、ＵＬリソース、およびＴＡ取得遅延の合計は増加する。
【００９２】
一般に、Ｕ−プレーンでの動作の再開は、無線リソース管理（ＲＲＣ：ｒａｄｉｏ  ｒｅｓｏｕｒｃｅ  ｃｏｎｔｒｏｌ）信号によってトリガーされることは、当業者に理解されるであろう。ＨＯ確認メッセージの受信は、ＤＬ  Ｕ−プレーンの動作の再開をトリガーし得る。次のＨＯ確認ＡＣＫメッセージは、ＵＬ  Ｕ−プレーンの動作の再開をトリガーする。当業者によって理解されるように、ＲＲＣの信号遅延は無線送信遅延、処理遅延、および復号化遅延から成る。最適シナリオにおいて、これは、通常は５ミリ秒のオーダーである。さらに、ＨＡＲＱ送信が３０％ならば、通常、遅延は増加し、６．５ミリ秒のオーダーである。しかしながら、当業者によって理解されるように、３０％のエラー率は、時間にクリティカルなメッセージに対しては、非現実的である。したがって、実際的なシナリオでは、エラー率は、３０％よりもかなり低いと考えなければならない。
【００９３】
さらに、データ転送遅延は、ｅＮｏｄｅ−Ｂ処理遅延と、Ｘ２インターフェースを通じての送信遅延とから成る。これは、平均５ミリ秒であると考えられる。
【００９４】
加えて、ＣＱＩ／ＳＲチャネルインターバルは、５ミリ秒であると考えられる。それ故、ＣＱＩ／ＳＲチャネルのための待ち時間は、２．５ミリ秒である。ＣＱＩ／ＳＲチャネルの送信およびデコーディングには２ミリ秒が考慮される。Ｌ１／Ｌ２制御チャネルの送信とデコーディングとによる遅延は、２ミリ秒のオーダーである。ＡＣＫ／ＮＡＣＫの送信とデコーディングとによる遅延は、２ミリ秒のオーダーである。
【００９５】
上記の遅延構成要素に基づいて、異なる手順に対するＵＬおよびＤＬの総中断時間は、表１に示すように算出され得る。
【００９６】
【表１】
0005459382.tif 000002
図１の非同期プロセスにおいて、ターゲットｅＮｏｄｅ−ＢへのＵＥの到着が、専用のプレアンブルの受信によってユニークに特定される場合、ＨＯ確認ステップは、省略され得る。この場合、図１に示される処理のＤＬおよびＵＬによる中断は、１２ミリ秒に等しい。しかしながら、ＨＯ確認メッセージの受信が、なお必要である場合、ＤＬおよびＵＬの中断時間は、それぞれ１７．５ミリ秒、および１８．５ミリ秒である。
【００９７】
表１の遅延算出が以下に依存することは、注目に値する：
（ｉ）図１の手順のためのＲＡＣＨチャネル構成；
（ｉｉ）図４の手順のためのＣＱＩ／ＳＲチャネル構成；
（ｉｉｉ）図６の手順のためのＸ２インターフェースを通じての転送遅延。
【００９８】
ＬＴＥの現在の合意された仕様によれば、新規なセルに対するＵＥのハンドオーバ後のソースｅＮｏｄｅ−Ｂは、ＵＥによって承認されていないＳＮを有する全てのＤＬ  ＰＤＣＰサービスデータユニット（ＳＤＵ）をターゲットｅＮｏｄｅ−Ｂに転送する。ターゲットｅＮｏｄｅ−Ｂは、その後、ソースｅＮｏｄｅ−Ｂによって転送された全てのＤＬ  ＰＤＣＰ  ＳＤＵを再送信しかつ優先付けする。ＵＬにおいて、ハンドオーバに応答して、ソースｅＮｏｄｅ−Ｂは、シーケンスから外れて（ｏｕｔ−ｏｆ−ｓｅｑｕｅｎｃｅ）受信されたアップリンクＰＤＣＰ  ＳＤＵを、ターゲットｅＮｏｄｅ−Ｂに転送する。ＵＥは、その後、ソースｅＮｏｄｅ−Ｂによってうまく受信されなかったＵＬ  ＰＤＣＰ  ＳＤＵを再送信する。したがって、シーケンス通りに（ｉｎ−ｓｅｑｕｅｎｃｅ）うまく受信されたＰＤＣＰ  ＳＤＵだけが、Ｓｅｒｖｉｎｇ−ａＧＷに転送される。
【００９９】
上記の合意を考慮して、ＵＬおよびＤＬの両者において、ＰＤＣＰ  ＳＤＵは、ターゲットｅＮｏｄｅ−Ｂに転送される。ＰＤＣＰ  ＳＤＵの再順序付け（ｒｅ−ｏｒｄｅｒｉｎｇ）または優先順位付け（ｐｒｏｔｅｓｔａｔｉｏｎ）は、したがって、ターゲットｅＮｏｄｅ−Ｂで実行される。したがって、アプリケーション層において観察される、実際の中断は、Ｘ２インターフェースを通じての転送遅延に依存する。換言すれば、Ｕ−プレーン中断は、表１の中断時間とＸ２インターフェースを通じてのデータ転送遅延との最大値に等しい。例えば、データ転送遅延（転送に対する準備を含む）が１５ミリ秒である場合、表１に示される手順の全てにおいて、中断時間は、１５ミリ秒でなければならない。
【０１００】
本発明の一実施例は、たとえば、将来発展するＵＴＲＡ  ３ＧＰＰ（ｌｏｎｇ  ｔｅｒｍ  ｅｖｏｌｕｔｉｏｎ（ＬＴＥ）と称する）無線同期ネットワークのための同期ハンドオーバ・メカニズムを開示しているが、本発明のコンセプトは、この実施例に制限されるものではない。したがって、いかなるワイヤレス・ネットワークにも適用され得ると想定される。
【０１０１】
上述した発明のコンセプトは、以下の効果の一つ以上を提供すると考えられる。
【０１０２】
（ｉ）発明のコンセプトを使用することによって、ＵＬグラントメッセージによってＬ１／Ｌ２制御チャネルを単にＵＥに知らせるだけで、ＲＡＣＨ、または、ＨＯアクセスのための専用のリソースに依存する必要性を回避する。
【０１０３】
（ｉｉ）Ｌ１／Ｌ２制御チャネルは、共用チャネル（ＵＬ−ＳＣＨ）リソースをＵＥに、与えられた（短い）持続時間だけ割り当てるために使用され得る。これは、同期ネットワークのハンドオーバ手順において通常は１ミリ秒のみ遅延を付加する。この実施例は、好適にも、Ｌ１／Ｌ２のコントロールチャネルが全てのＵＥによってモニタされるという事実を利用する。リソースが与えられたＵＥは、Ｃ−ＲＮＴＩによって特定される。これは、Ｌ１／Ｌ２制御チャネルにおいて示される。このように、ＵＬ−ＳＣＨリソースは、短い時間的尺度の中で、多数のＵＥで共用することができる。
【０１０４】
（ｉｉｉ）ＨＯアクセスに基づく（図１において例示された）専用のプレアンブルと比較して、発明のコンセプトは、予想される同じコンテンション確率に必要なＲＡＣＨリソースを減少させる。この点に関しては、先行技術ハンドオーバ手順においては、“６４”個の直交ＲＡＣＨプレアンブルが、単一のＲＡＣＨチャネル・リソースにおいて可能である点は注目に値する。これは、これらのプレアンブルが専用の用途のために予約されている場合、ランダムセレクションが利用できるプレアンブルが減少することを意味する。それ故、ＲＡＣＨチャネル・リソースが同じである場合、先行技術の手順のコンテンションの確率は増加する。さもなければ、コンテンションの確率を許容可能に保つために、ＲＡＣＨチャネルに割り当てられるリソースを増加させることを必要とする。そして、それは先行技術の手順を非効率にさせることとなる。
【０１０５】
（ｉｖ）ハンドオーバ後でのコンテンションベースのＲＡＣＨアクセス（図２参照）と比較して、ＨＯ負荷は、ＲＡＣＨ上の負荷を増加させる。上記と同じ説明は、コンテンションの確率、および必要なＲＡＣＨリソースにもあてはまる。加えて、図２において適用されるコンテンションのために、先行技術のハンドオーバ手順の中断時間も増加する。なぜなら、もし、衝突が発生する場合、ＵＥは、待つ必要があり、かつ後でアクセスを再試行しなければならないためである。本願明細書における上述の発明のコンセプトを使用すれば、これらの不利な点は回避され得る。
【０１０６】
（ｖ）ＨＯコマンドを介してのリソース割り当て（図３参照）と比較して、発明のコンセプトは、無線リソースを節約する。本発明を適用しないならば無駄になるものである。なぜなら、従来技術システムにおいては、ターゲットｅＮｏｄｅ−Ｂがリソース割り当て時にＵＥ到着の時間を知らないため、リソースは事前に予約されていなければならないからである。したがって、割り当ては、最悪のケースのＵＥを想定しなければならない。このため、ハンドオーバＵＥがターゲットｅＮｏｄｅ−Ｂにアクセスするまで、予約のリソースは他のＵＥに割り当てられることができない。それ故、先行技術は、無線リソースを非効率的に使用することとなる。
【０１０７】
（ｖｉ）ＣＱＩ／ＳＲベースのＨＯアクセス（図４参照）と比較して、全てのＣＱＩ／ＳＲチャネルは、全てのケース（ｌｏｎｇ＿ＤＲＸ状態）においてもはや必要でない。したがって、発明のコンセプトは、不必要なチャネル構成、および不必要なＣＱＩ／ＳＲチャネル・リソースの使用を予防する。
【０１０８】
（ｖｉｉ）発明のコンセプトを使用することは、許容できる中断時間を提供する。
【０１０９】
図７は、本発明の実施例の処理機能をインプリメントするために使用され得る典型的なコンピューティングシステム７００である。例えば、このコンピューティングシステムは、Ｎｏｄｅ−Ｂ特に、Ｎｏｄｅ−Ｂのスケジューラ、コアネットワーク要素、例えばＧＧＳＮ、およびＲＮＣにおいて使用され得る。当業者は、また、他のコンピュータシステムまたはアーキテクチュアを使用して、本発明をインプリメントする方法を認識するであろう。このコンピューティングシステム７００は、与えられたアプリケーションや環境に適し、または望ましいもの、例えば、デスクトップ、ラップトップまたはノートブックコンピュータ、携帯コンピューティング装置（ＰＤＡ、携帯電話、パームトップ、その他）、メインフレーム、サーバ、クライアントまたは他のいかなる種類の専用または汎用コンピューティング装置をも指す。コンピューティングシステム７００は、一つ以上のプロセッサ（例えばプロセッサ７０４）を含むことができる。プロセッサ７０４は、一般のまたは特殊目的のプロセッシングエンジン例えばマイクロプロセッサ、マイクロコントローラまたは他の制御ロジックを使用してインプリメントすることができる。この例では、プロセッサ７０４は、バス７０２または他の通信媒体に接続される。
【０１１０】
コンピューティングシステム７００は、プロセッサ７０４によって実行される情報およびコマンドを保存するためのメインメモリ７０８、例えばランダムアクセスメモリ（ＲＡＭ）または他のダイナミック・メモリを含む。メインメモリ７０８は、また、プロセッサ７０４によって実行されるコマンドの実行中に一時的に数値変数または他の中間の情報を保存するために使用され得る。コンピューティングシステム７００は、同様に、プロセッサ７０４のための静的情報およびコマンドを保存するための、バス７０２に接続した読取り専用メモリ（ＲＯＭ）または他の静的記憶装置デバイスを含んでもよい。
【０１１１】
コンピューティングシステム７００はまた、情報記憶システム７１０を含んでもよい。これは、例えば、メディアドライブ７１２、およびリムーバブル記憶インターフェース７２０を含んでもよい。メディアドライブ７１２は、固定またはリムーバブルな記憶媒体をサポートするドライブまたは他のメカニズムを含む。たとえば、ハードディスクドライブ、フロッピーディスクドライブ、磁気テープ駆動機構、光学ディスクドライブ、コンパクトディスク（ＣＤ）ディジタルビデオドライブ（ＤＶＤ）、読み出し書き込みドライブ（ＲまたはＲＷ）、または、リムーバブルまたは固定のメディアドライブを含む。記憶媒体７１８は、例えば、ハードディスク、フロッピーディスク、磁気テープ、光ディスク、ＣＤまたはＤＶＤ、またはディアドライブ７１４によって、リードライト可能な固定またはリムーバブル媒体を含む。これらの例が示すように、記憶媒体７１８は、特定のコンピュータソフトウェアまたはデータを保存するコンピュータ可読の記憶媒体を含み得る。
【０１１２】
代替の実施例では、情報記憶システム７１０は、コンピュータ・プログラムまたは他のコマンドまたはデータがコンピューティングシステム７００へロードされることを許す他の類似した構成要素を含んでもよい。この種の構成要素は、例えば、着脱可能な記憶ユニット７２２、およびインターフェース７２０（例えばプログラム・カートリッジ、およびカートリッジ・インターフェース、リムーバブルメモリ（例えばフラッシュメモリまたは他のリムーバブルメモリーモジュール）、およびメモリー・スロット）を含んでもよい。加えて、他の着脱可能記憶ユニット７２２、およびソフトウェア、および着脱可能な記憶ユニット７１８からコンピューティングシステム７００にデータ転送するインターフェース７２０を含んでもよい。
【０１１３】
コンピューティングシステム７００は、また、通信用インターフェース７２４を含むことができる。通信用インターフェース７２４は、ソフトウェア、およびデータをコンピューティングシステム７００と外部デバイスとの間で転送するために使用される。通信用インターフェース７２４の例としては、モデム、ネットワークインターフェース（例えばイーサネットまたは他のＮＩＣカード）、通信ポート（たとえば（例えば汎用シリアルバス（ＵＳＢ）ポート））、ＰＣＭＣＩＡスロット、およびカード、その他が含まれる。通信用インターフェース７２４を介して転送されるソフトウェアおよびデータは、電子的、電磁気的、光学的な信号、または他の信号であって、通信用インターフェース７２４によって受信することが可能なものを含む。これらの信号は、チャネル７２８を介して通信用インターフェース７２４に提供される。このチャネル７２８は、信号を転送することができ、無線メディア、導線またはケーブル、ファイバー・オプティックスまたは他の通信媒体を使用してインプリメントされ得る。チャネルの一部の例は、電話線、携帯電話リンク、ＲＦリンク、ネットワークインターフェース、ローカルまたは広域ネットワーク、および他の通信チャネルを含む。
【０１１４】
本願明細書において、用語「コンピュータ・プログラム製品」、「コンピュータ可読媒体」などは、一般に、メディア、例えばメモリ７０８、記憶装置７１８または記憶装置７２２を指すために使用される。これらのコンピュータ可読のメディア、そしてまた他のメディアは、プロセッサ７０４用に一つ以上のコマンドを保存してもよく、特定のオペレーションをプロセッサに実行させる。この種のコマンドは「コンピュータ・プログラム・コード」と一般に呼ばれる（それは、コンピュータ・プログラムまたは他のグループ化の形で分類され得る）。そして、これが実行されるときに、コンピューティングシステム７００が本発明の実施例の機能を実行することを可能にする。コードは、直接特定のオペレーションをプロセッサに実行させてもよく、そうするためにコンパイルされてもよく、および／または、そうするために他のソフトウェア、ハードウェアおよび／またはファームウェア要素（例えば標準関数を実行するためのライブラリ）と結合され得る点に注意する。
【０１１５】
要素がソフトウェアを使用してインプリメントされる実施例において、ソフトウェアはコンピュータ可読媒体に保存されてもよく、例えば、リムーバブル記憶ドライブ７１４、ドライブ７１２または通信用インターフェース７２４を使用して、コンピューティングシステム７００へロードされ得る。制御ロジック（この例では、ソフトウェアコマンドまたはコンピュータ・プログラム・コード）は、プロセッサ７０４によって実行されるときに、本願明細書に記載されているように、プロセッサ７０４に本発明の機能を実行させる。言うまでもなく、明瞭さの目的のために、上述の説明では、異なる機能単位、およびプロセッサに関連して本発明の実施例を説明している。なお、異なる機能単位、プロセッサまたは領域間の機能の適切ないかなる配分も、本発明を損なわずに使用され得ることは明らかである。例えば、別々のプロセッサまたはコントローラによって実行されることが示される機能は、同じプロセッサまたはコントローラによって実行され得る。それ故、特定の機能単位の参照は、記載されている機能を提供するための適切な手段の参照と見るべきであり、厳格な論理的または物理的な、構造あるいは構成を示すものではない。
【０１１６】
本発明の態様は、ハードウェア、ソフトウェア、ファームウェアまたはこれらの組合せを含むいかなる適切な形式でもインプリメントされ得る。本発明は、任意に、少なくとも部分的に、１つ以上のデータプロセッサおよび／またはデジタルシグナルプロセッサで実行されるコンピュータソフトウェアとしてインプリメントされ得る。したがって、本発明の実施例の要素、および構成要素は、適切ないかなる方法でも、物理的に、機能的に、および論理的にインプリメントされ得る。実際、機能は、単一ユニットにおいて、複数のユニットにおいて、または他の機能ユニットの一部としてインプリメントされ得る。
【０１１７】
本発明が一部の実施例と関連して記載されていたとしても、それは本願明細書に記載される特定の形式に限られていることを目的とするものではない。むしろ、本発明の範囲は、請求項のみによって限定される。加えて、特徴が特定の実施例と関連して記載されている場合であっても、当業者であれば、記載されているさまざまな特徴が本発明に従って結合され得ると認識する。さらに、個々に列挙して示されていても、例えば、複数の手段、要素または方法ステップは、単一のユニットまたはプロセッサによってインプリメントされ得る。加えて、個々の特徴が、異なるクレームに記載されていても、これらは、おそらく好適に結合され得る。特徴が、異なるクレームに包含されるということは、特徴の組合せが可能でないことを意味するものではなく、かつ／また、有利でないことを意味するものでもない。また、特徴を１つのカテゴリの中に含めることは、カテゴリへの制限を意味するわけではない。むしろ特徴は、その他のクレームカテゴリに、同様に適切に適用することができる。
【０１１８】
さらに、クレームの中での順番は、特徴が実行されなければならない特定の順番を示すものではない。特に、方法クレームにおけるステップは、この順番に実行されなければならないことを意味するものではない。むしろ、ステップは、いかなる適切な順番でも実行され得る。加えて、単数の参照は、多数を排除しない。したがって、「ａ」、「ａｎ」、「第１の」、「第２の」等は、多数を排除しない。
【図１】
0005459382.tif 000003
【図２】
0005459382.tif 000004
【図３】
0005459382.tif 000005
【図４】
0005459382.tif 000006
【図５】
0005459382.tif 000007
【図６】
0005459382.tif 000008
【図７】
0005459382.tif 000009